(57)【要約】【課題】防滴効果を高め、かつ、十分な強度を確保して容易に設置することのできる乗客コンベアの安全装置の提供。【解決手段】踏段に形成されるクリートと非接触状態で噛合うくし板２と建屋床方向に延設される化粧板４との間に位置するコムプレート１の上面に配設され、略コの字形状断面を有するとともにその両端部に切欠き５ａ、５ｂがそれぞれ設けられる硬質透明樹脂製の帯状覆い部材５と、この帯状覆い部材５の凹部に嵌合されＬＥＤ素子６ａが取付けられる基板６とを備え、帯状覆い部材５の凹部に基板６を嵌合した状態で帯状覆い部材５と基板６との間の空間部に透明樹脂を充填するととともに、帯状覆い部材５の一方の切欠き５ａをコムプレート１とくし板２との間に係合し、かつ、帯状覆い部材５の他方の切欠き５ｂをコムプレート１と化粧板４との間に係合して帯状覆い部材５を固定する。【選択図】図１
2007176674.tif 000002
【特許請求の範囲】
【請求項１】
乗客コンベアの乗降口に設置されるコムプレートと、このコムプレート上面の前端に取付けられ、踏段に形成されるクリートと非接触状態で噛合う複数の凹凸部が設けられるくし板と、前記コムプレート上面に設置され建屋床方向に延設される化粧板とを有する乗客コンベアの乗降口安全装置において、
前記くし板と前記化粧板との間に位置する前記コムプレートの上面に配設され、略コの字形状断面を有するとともにその両端部に切欠きがそれぞれ設けられる硬質透明樹脂製の帯状覆い部材と、この帯状覆い部材の凹部に嵌合されＬＥＤ素子が取付けられる基板とを備え、前記帯状覆い部材の凹部に前記基板を嵌合した状態で前記帯状覆い部材と前記基板との間の空間部に透明樹脂を充填するととともに、前記帯状覆い部材の一方の切欠きを前記コムプレートと前記くし板との間に係合し、かつ、前記帯状覆い部材の他方の切欠きを前記コムプレートと前記化粧板との間に係合して前記帯状覆い部材を固定することを特徴とする乗客コンベアの乗降口安全装置。
【発明の詳細な説明】
【技術分野】
【０００１】
本発明は、乗降口での乗客の安全を図る乗客コンベアの乗降口安全装置に関する。
【背景技術】
【０００２】
乗客コンベアを利用している乗客に対して乗降口が近い旨を光によって喚起する従来技術として、乗降口に設置されるコムに、中空の細長い硬質透明樹脂製チューブと、この硬質透明樹脂製チューブの内部に設置される照明体とを設置したものが提案されている（例えば、特許文献１参照）。
【０００３】
また、従来、乗降口に設置されるコムを踏段側コムと乗降板側コムとに分割するとともに、乗降板側コムに複数の穴を形成して発光ダイオードを埋設し、この乗降板側コムをビスにて固定したものが提案されている（例えば、特許文献２参照）。
【特許文献１】特開２００５−２９２９０号公報（段落番号０００７〜００１０、第１図、第２図）
【特許文献２】特開昭５９−２１２３８０号公報（第２頁右下欄〜第３頁右上欄、第３図、第４図）
【発明の開示】
【発明が解決しようとする課題】
【０００４】
しかしながら、前述した前者のものは、乗客コンベアの乗降口に、硬質透明樹脂製チューブ、及びこの硬質透明樹脂製チューブ内部に配置される照明体を設置するものであるが、目的上この設置場所は外部に晒され乗客の行き交う乗降口であることから、硬質透明樹脂製チューブ内部に湿気が入ることは十分考えられるとともに、一旦入った湿気は硬質透明樹脂製チューブ内部にこもり、照明体に経年的に悪影響を及ぼすことが懸念される。
【０００５】
また、後者のものでは、分割した乗降板側コムに複数の穴を形成してそれぞれに発光ダイオードを埋設し、次いで乗降板側コムをビス止めすることから設置に手間を要するとともに、注意喚起の効果を高めようとして発光ダイオードの個数を増やそうとすると、乗降板側コムに短い間隔で穴を形成することを要し、強度の面でも問題が生じる。
【０００６】
本発明は、前述した従来技術における実状からなされたもので、その目的は、防滴効果を高め、かつ、十分な強度を確保して容易に設置することのできる乗客コンベアの安全装置を提供することにある。
【課題を解決するための手段】
【０００７】
前記目的を達成するために、本発明は、乗客コンベアの乗降口に設置されるコムプレートと、このコムプレート上面の前端に取付けられ、踏段に形成されるクリートと非接触状態で噛合う複数の凹凸部が設けられるくし板と、前記コムプレート上面に設置され建屋床方向に延設される化粧板とを有する乗客コンベアの乗降口安全装置において、前記くし板と前記化粧板との間に位置する前記コムプレートの上面に配設され、略コの字形状断面を有するとともにその両端部に切欠きがそれぞれ設けられる硬質透明樹脂製の帯状覆い部材と、この帯状覆い部材の凹部に嵌合されＬＥＤ素子が取付けられる基板とを備え、前記帯状覆い部材の凹部に前記基板を嵌合した状態で前記帯状覆い部材と前記基板との間の空間部に透明樹脂を充填するととともに、前記帯状覆い部材の一方の切欠きを前記コムプレートと前記くし板との間に係合し、かつ、前記帯状覆い部材の他方の切欠きを前記コムプレートと前記化粧板との間に係合して前記帯状覆い部材を固定することを特徴としている。
【０００８】
このように構成した本発明は、帯状覆い部材の凹部に基板を嵌合した状態で帯状覆い部材と基板との間の空間部に透明樹脂を充填し、帯状覆い部材と基板とを一体化する。次いで、一体化した帯状覆い部材及び基盤をこの帯状覆い部材をくし板と化粧板との間に位置するコムプレートの上面に配置するとともに、帯状覆い部材の一方の切欠きをコムプレートとくし板との間に係合し、かつ、帯状覆い部材の他方の切欠きをコムプレートと化粧板との間に係合して帯状覆い部材を固定する。このように、透明樹脂により帯状覆い部材と基板との間の空間部を埋めて一体化することにより防滴効果を高めることができる。また、光源となるＬＥＤ素子が取付けられる基板は帯状覆い部材の凹部に嵌合されるとともに、帯状覆い部材は、その両端に設けられる切欠きを、コムプレートとくし板との間、及びコムプレートと化粧板との間にそれぞれ係合して固定する構造であることから、従来のように穴あけ、埋設及びビス止め等の特別な作業を要することがなく、したがって容易に設置することができる。さらに、基板にＬＥＤ素子を取付け帯状覆い部材で覆う構造であることから、装置の強度を確保しつつＬＥＤ素子の設置数に比較的幅を持たせることができる。
【発明の効果】
【０００９】
本発明は、防滴効果を高めて装置の耐久性の向上を図ることができる。また、穴あけ、埋設及びビス止め等の特別な作業を要することがないことから、製作、及び設置作業の効率の向上を図ることができる。さらに、強度の面から見てＬＥＤ素子の設置数に比較的幅を持たせることができることから、注意喚起効果、及び意匠性を高めることを目的として、装置の形状、様式を自由に設定することができる。
【発明を実施するための最良の形態】
【００１０】
以下、本発明に係る乗客コンベアの乗降口安全装置の実施の形態を図に基づいて説明する。
【００１１】
図１は本発明の乗客コンベアの乗降口安全装置の一実施形態を示す縦断面図、図２は乗降口安全措置の詳細斜視図、図３は乗降口安全装置の縦断面図である。
【００１２】
乗客コンベアは図１に示すように、乗降口に設置され傾斜面を有するコムプレート１が設置され、このコムプレート１の上面には、その先端部から所定距離離れた位置に凹形状の溝１ａが設けられ、この溝１ａは踏段の両側に配設される図示しない両スカートガード間に亘って形成されている。コムプレート１上面の溝１ａより踏段側には、その前端部に踏段のクリートと非接触状態で噛合う複数の凹凸部が設けられるとともに、その後端部が溝１ａの側壁を越えて延設されるくし板２が配置され、このくし板２は皿ねじ３によりコムプレート１に固定されている。コムプレート１上面の溝１ａより反踏段側には、その前端部が溝１ａの側壁を越えて延設されるとともに、その後端が建屋床方向に延設される化粧板４が設置されている。
【００１３】
また、図２及び図３にも示すように、くし板と化粧板との間に位置する溝１ａには、略コの字形状断面を有するとともにその両端部に切欠き５ａ、５ｂがそれぞれ設けられる硬質透明樹脂製の帯状覆い部材５が配設され、この帯状覆い部材５の一方の切欠き５ａをコムプレート１とくし板２との間に係合し、かつ、帯状覆い部材５の他方の切欠き５ｂをコムプレート１と化粧板４との間に係合して帯状覆い部材５は固定される。さらに、帯状覆い部材５の凹部５ｃには、複数のＬＥＤ素子６ａが取付けられる基板６が嵌合され、この状態で帯状覆い部材５と基板６との間の空間部７に透明樹脂を充填して一体化する。尚、基板６には電源部と接続されるリード線が設けられるが図示を省略してある。
【００１４】
本実施形態の乗客コンベアの乗降口安全装置にあっては、まず、帯状覆い部材５の凹部５ｃに基板６を嵌合し、この状態で帯状覆い部材５と基板６との間の空間部７に透明樹脂を充填し、帯状覆い部材５と基板６とを一体化する。次いで、くし板２を取外した状態で、一体化した帯状覆い部材５及び基板６をコムプレート１の溝１ａに設置し、帯状覆い部材５の他方の切欠き５ｂをコムプレート１と化粧板４との間に嵌入して係合するとともに、くし板２を取付け位置に配置することにより、その後端部とコムプレート１とで帯状覆い部材５の一方の切欠き５ａを挟み込んで係合し、この状態で皿ねじ３によりくし板２をコムプレート１に固定する。
【００１５】
本実施形態によれば、透明樹脂により帯状覆い部材５と基板６との間の空間部７を埋めて一体化することにより防滴効果を高めることにより、装置の耐久性の向上を図ることができる。また、光源となるＬＥＤ素子６ａが取付けられる基板６は帯状覆い部材５の凹部５ｃに嵌合されるとともに、帯状覆い部材５は、その両端に設けられる切欠き５ａ、５ｂを、コムプレート１とくし板２との間、及びコムプレート１と化粧板４との間にそれぞれ係合して固定する構造であることから、穴あけ、埋設及びビス止め等の特別な作業を要することがなく、製作、及び設置作業の効率の向上を図ることができる。さらに、基板６にＬＥＤ素子６ａを取付け帯状覆い部材５で覆う構造であることから、強度の面から見てＬＥＤ素子６ａの設置数に比較的幅を持たせることができることから、注意喚起効果、及び意匠性を高めることを目的として、装置の形状、様式を自由に設定することができる。
【図面の簡単な説明】
【００１６】
【図１】本発明の乗客コンベアの乗降口安全装置の一実施形態を示す縦断面図である。
【図２】乗降口安全措置の詳細斜視図である。
【図３】乗降口安全装置の縦断面図である。
【符号の説明】
【００１７】
１    コムプレート
１ａ  溝
２    くし板
３    皿ねじ
４    化粧板
５    帯状覆い部材
５ａ、５ｂ  切欠き
５ｃ  凹部
６    基板
６ａ  ＬＥＤ素子
７    空間部
【図１】
2007176674.tif 000003
【図２】
2007176674.tif 000004
【図３】
2007176674.tif 000005